(57)【要約】【課題】使用勝手を向上し得る電気掃除機用吸込具を提供することを課題とするものである。【解決手段】外周下部に吸気口７を形成した吸込具本体１と、吸込具本体１の略中央部に設けられ、電気掃除機に接続される接続管９と、吸込具本体１外周に回転自在に設けられ、多数の小孔１８を形成した回転部材１９とを備え、接続管９は、先端が吸込具本体の上部に回転可能に接続される。接続管９は、吸込具本体１の長手方向に対して略直交する位置と、吸込具本体１の長手方向と平行な位置とで位置決め可能に形成する。【選択図】図１
2011010687.tif 000002
【特許請求の範囲】
【請求項１】
外周下部に吸気口を形成した吸込具本体と、該吸込具本体の略中央部に設けられ、電気掃除機に接続される接続管と、前記吸込具本体外周に回転自在に設けられ、多数の小孔を形成した回転部材とを備え、前記接続管は、一端が前記吸込具本体の上部に回転可能に接続されることを特徴とする電気掃除機用吸込具。
【請求項２】
前記接続管を、前記吸込具本体の長手方向に対して略直交する位置と、前記吸込具本体の長手方向と平行な位置とで位置決め可能に形成したことを特徴とする請求項１記載の電気掃除機用吸込具。
【請求項３】
前記吸込具本体は、接続管が接続される連結管と、連結管に着脱自在に装着される筒体とから構成されたことを特徴とする請求項1記載の電気掃除機用吸込具。
【請求項４】
電気掃除機に接続した前記吸込具本体を、上方に向けた状態に保持する保持具を設けたことを特徴とする請求項１記載の電気掃除機用吸込具。
【請求項５】
吸引した塵埃を検出する塵埃検出手段と、該塵埃検出手段で検出した塵埃の量を表示する表示手段を設けたことを特徴とする請求項１記載の電気掃除機用吸込具。
【請求項６】
前記接続管は、前記吸込具本体が上方を向くように電気掃除機に直接接続される形状に形成したことを特徴とする請求項１記載の電気掃除機用吸込具。
【請求項７】
前記接続管に電気掃除機を操作する操作部を設けたことを特徴とする請求項６記載の電気掃除機用吸込具。
【発明の詳細な説明】
【技術分野】
【０００１】
本発明は、電気掃除機に接続して、布団やカーテンなどを掃除する際に使用される吸込具の改良に関する。
【背景技術】
【０００２】
この種吸込具として、外周下部に吸気口を形成した吸込具本体の外周に、多数の小孔を形成した回転部材を回転自在に装着し、布団の上などを、回転部材を回転させながら布団などから埃等を吸引する吸込具が知られている（特許文献１）。
【先行技術文献】
【特許文献】
【０００３】
【特許文献１】特開平８−３３２１６４号公報
【発明の概要】
【発明が解決しようとする課題】
【０００４】
上記吸込具には、吸込具本体側面から後方に向かって接続管が突出形成されており、接続管を電気掃除機の延長管などに接続し、吸込具を前後方向に移動させて布団などを掃除するものである。
【０００５】
しかしながら、接続管は吸込具本体側面から後方に向かって突出形成されているため、前後以外の方向、例えば、吸込具を横方向に移動させて掃除を行うことができず、使い勝手が悪い問題があった。
【０００６】
本発明は、上記の点に鑑みてなされたものであり、使用勝手を向上し得る電気掃除機用吸込具を提供することを課題とするものである。
【課題を解決するための手段】
【０００７】
上記課題を解決するために、本発明に係る電気掃除機用吸込具は、外周下部に吸気口を形成した吸込具本体と、該吸込具本体の略中央部に設けられ、電気掃除機に接続される接続管と、前記吸込具本体外周に回転自在に設けられ、多数の小孔を形成した回転部材とを備え、前記接続管は、一端が前記吸込具本体の上部に回転可能に接続されることを特徴とする。
【０００８】
前記接続管を、前記吸込具本体の長手方向に対して略直交する位置と、前記吸込具本体の長手方向と平行な位置とで位置決め可能に形成することが好ましい。
【０００９】
前記吸込具本体は、接続管が接続される連結管と、連結管に着脱自在に装着される筒体とから構成することが好ましい。
【００１０】
電気掃除機に接続した前記吸込具本体を、上方に向けた状態に保持する保持具を設けることが好ましい。
【００１１】
吸引した塵埃を検出する塵埃検出手段と、該塵埃検出手段で検出した塵埃の量を表示する表示手段を設けることが好ましい。
【００１２】
前記接続管は、前記吸込具本体が上方に向くように電気掃除機に直接接続される形状に形成され、前記電気掃除機を操作する操作部を形成することが好ましい。
【発明の効果】
【００１３】
本発明によると、被掃除物に応じて使用者が吸込具本体の向きを容易に変更することができ、使用勝手を向上することができる等の効果を奏する。
【図面の簡単な説明】
【００１４】
【図１】吸込具の上面図である。
【図２】断面図である。
【図３】他の方向から見た断面図である。
【図４】回転部材と共に筒体を外した状態を示す平面図である。
【図５】一方の筒体を回転部材と共に外した状態を示す平面図である。
【図６】図５の吸込具本体を９０度回転させた状態を示す平面図である。
【図７】布団を掃除している状態を説明する図である。
【図８】洗濯物等を掃除している状態を説明する図である。
【図９】他の実施形態の洗濯物等を掃除している状態を説明する図である。
【図１０】さらに他の実施形態の洗濯物等を掃除している状態を説明する図である。
【図１１】他の実施形態の洗濯物等を掃除している状態を説明する図である。
【図１２】さらに他の実施形態の洗濯物等を掃除している状態を説明する図である。
【発明を実施するための形態】
【００１５】
本発明の実施の形態を図面に基づいて以下に詳述する。
【００１６】
１は合成樹脂製の吸込具本体で、両端に接続部３が形成された円筒状の連結管２と、該連結管２の接続部３に着脱自在に装着される一対の円筒状の筒体４とから構成されている。前記連結管２の接続部３には、筒体４に係脱自在に係合するクランプ５が設けられており、筒体４を取り外した状態で接続部３を閉塞するために後述する取付部材１９がクランプ５により選択的に係脱自在に係合固定されるようになっている。本実施形態では、効率よく布団を掃除できるよう、従来３０cm程度だった幅寸法を、６０cm程度に形成し、一度に広い面積の掃除を行うことができるようにしている。幅寸法を長くすることにより、一度に布団を掃除可能な面積は増加するが、吸引力が低下したり、吸込具の取り回しがしにくくなり、掃除の効率が低下するなどの問題が生じる。そのため、本実施形態では、筒体４の内径を幅寸法の１／１０以下、より具体的には、４〜５cmに設定している。
【００１７】
６は前記連結管２の下部に形成された長孔形状の吸気口、７は前記筒体４の下部に形成された長孔形状の吸気口で、前記吸気口６及び吸気口７は両端側になるほど開口面積が増大するよう形成され、吸込具本体１の長手方向に直線上に配置されており、開口面積が両端側になるほど大きくなるように形成することにより、吸込具本体１の幅寸法を長くしても吸込具本体１全幅に亘って吸引力が低下しないようにすることを可能としている。尚、前記連結管２の接続部３において、筒体４が重合する部分は、吸気口６と吸気口７が連通するように形成されている。
【００１８】
８は前記連結管２の上部に形成された円筒形の連結部で、略くの字状に形成された接続管９の一端側下部が回動自在に接続され、他端側が斜め上方に向かって延設されて、他端側に電気掃除機の延長管等が接続されるようになっている。前記接続管９は、周知の機構により前記吸込具本体１に対して略直交する位置と、吸込具本体１に対して略平行な位置とに位置決め固定できるように構成されている。
【００１９】
１０は前記接続管９の上部に形成された収納室で、回路基板１１及び電池１２が収納され、該回路基板１１は前記接続管９の両側に配設された発光素子１３と受光素子１４により接続管９内を通過する塵埃量を検出し、回路基板１１に配設された表示用ＬＥＤ１５により塵埃の通過量、即ち、被掃除物がきれいになったか否かを表示するようになっている。１６は前記接続管９上面に形成された前記電池１２交換用の蓋である。
【００２０】
１７は前記吸込具本体１の筒体４外周に遊嵌される網状の回転部材で、被掃除物との摩擦抵抗が大きく、柔軟な材料にて形成されており、全周にわたって多数の小孔１８が形成されている。
【００２１】
１９は前記筒体４の端部に固定具２０により着脱自在に装着される取付部材で、前記筒体４外周より径大に形成され、取付部材１９を筒体４端部に装着することにより回転部材１７が筒体４から外れるのを防止している。
【００２２】
而して、図７に示す如く、接続管９を電気掃除機Ａの延長管Ｃに接続し、布団等の被掃除物Ｄを掃除する。吸込具本体１を前後方向に移動させると、回転部材１７が被掃除物Ｄに当接するので、被掃除物Ｄとの間の摩擦により、吸込具本体１の移動に伴って回転部材１７が回転する。吸込具本体１は両側に回転部材１７を夫々独立して回転自在に枢支しているので、吸込具本体１の移動方向を変更する際にも、容易に移動方向を変更することができる。
【００２３】
電気掃除機Ａの吸引力により、回転部材１７の全周にわたって形成した小孔１８から吸込具本体１の筒体４下部に形成した吸気口７を介して塵埃等を吸引するが、布団等の布地が小孔１８を介して吸気口７に吸引されることはなく、布団等の布地が吸気口７に吸い込まれて吸込具本体１の移動を妨げることはなく、移動性が損なわれることがない。また、連結管２下部にも吸気口６を形成しているので、吸込具本体１の全幅にわたって吸引することができ、掃除残しが生じることがない。
【００２４】
吸引した塵埃等は、発光素子１３と受光素子１４で構成される塵埃検知手段により検知され、塵埃の量が表示手段により表示されるので、塵埃等の量を使用者が容易に判別することができ、アレルギーの発生源とされるダニや花粉等を吸引できたか判断することが可能となる。従って、掃除している場所がきれいになったか否か容易に判断することができ、掃除不足や、無駄に掃除しすぎるのを防止することができる。
【００２５】
カーテンや衣類を掃除する際など、吸込具本体１が使用者の手許に対して横方向に長いと使用勝手が悪い場合には、図５に示すように、一方の筒体４をクランプ５による係合を外して取り外し、取り外した筒体４から固定部２０を外して取り外した取付部材１９を、取り外した筒体４に代えて連結管２に装着する。この状態で、図６に示す如く、筒体４を連結管２に対して９０度回転させて位置決めする。この使用状態では、吸込具本体１が使用者の手許から前方に延設された状態となるため、手の動きによって吸込具本体１の向きを容易に変えることができるようになり、使用勝手を向上することができる。
【００２６】
また、長期に亘り使用している間に、筒体４や回転部材１７が汚れてくるが、クランプ５を外すことで容易に連結管２から分離して、水洗い等をすることができ、清潔に維持することができる。連結管２も筒体４と回転部材１７を取り外すことで容易に清掃することができ、発光素子１３と受光素子１４の表面も清掃して塵埃検知精度の低下を防止することができる。
【００２７】
次に、例えば、屋外に干した洗濯物に付着した花粉を除去する場合になどには、図８に示す如く、底面を接地させて縦置き状態とした電気掃除機Ａに、電気掃除機Ａに接続した状態のホースＢを、ホース先端が上方を向くように係止し、ホースＢ先端に吸込具本体１が上方を向くように係止する。
【００２８】
この状態で、図８に示す如く、吸気口７を塞ぐように吸込具本体１に洗濯物Ｅを掛け、電気掃除機Ａを駆動した状態で、図８に示される矢印方向に洗濯物Ｅを引くことにより洗濯物に付着した花粉等を除去することができる。
【００２９】
また、吸込具本体１を接続したホースＢまたは延長管Ｃは、図９または図１０に示す如く、保持具２１により保持する構成としてもよい。保持具２１は載置面に安定に載置可能な構成とすることにより、洗濯物Ｅから花粉を除去する操作を行う際に、吸込具本体１を安定に保持することが可能となる。
【００３０】
さらに、吸込具本体１を接続したホースＢまたは延長管Ｃを保持する保持具２１は、図１１に示す如く、テーブルの脚等に着脱自在に装着可能な構成としてもよく、図１２に示す如く、ホースＢを取り外した電気掃除機Ａに、吸込具本体１が上方を向くように接続する構成としてもよい。尚、この構成では、保持具２１に電気掃除機Ａの運転を制御する制御部を設けることが好ましい。
【産業上の利用可能性】
【００３１】
本発明は、布団、カーテン、洗濯物等の掃除を行う吸込具に広く利用可能である。
【符号の説明】
【００３２】
１    吸込具本体
２    連結管
４    筒体
７    吸気口
９    接続管
１７  回転部材
１８  小孔
１９  取付部材
【図１】
2011010687.tif 000003
【図２】
2011010687.tif 000004
【図３】
2011010687.tif 000005
【図４】
2011010687.tif 000006
【図５】
2011010687.tif 000007
【図６】
2011010687.tif 000008
【図７】
2011010687.tif 000009
【図８】
2011010687.tif 000010
【図９】
2011010687.tif 000011
【図１０】
2011010687.tif 000012
【図１１】
2011010687.tif 000013
【図１２】
2011010687.tif 000014